(57)【要約】【課題】受取人の口座に希望しない入金があった場合、受取人はその入金を拒否することができるようにした。【解決手段】  振込みによる入金の許可の確認要否を示す振込み確認情報、振込元情報を通知する通知先情報を顧客の口座を特定する顧客口座情報と関連付けて予め記憶した顧客データベース４および振込元情報を通知する通知手段をホストコンピュータ３に備えた。そして、ホストコンピュータ３が、自動取引装置１から振込取引電文を受信したとき、受信した振込先口座情報に基づいて顧客データベース４を検索して振込み確認情報および通知先情報を抽出し、該振込み確認情報が振込取引の許可の確認を必要とする場合、通知先情報で示される通知先へ振込元情報を通知し、その通知先から振込取引の許可を受信して振込取引を行なうようにした。【選択図】        図１
2007148791.tif 000002
【特許請求の範囲】
【請求項１】
顧客の操作により振込み依頼人口座情報、振込金額等の振込元情報および振込先口座情報の入力を受け付ける自動取引装置と、その自動取引装置から該振込元情報および振込先口座情報を含む振込取引電文を受信して振込取引を行う上位装置とを備えた自動取引システムにおいて、
振込みによる入金の許可の確認要否を示す振込み確認情報と、前記振込元情報を通知する通知先情報とを顧客の口座を特定する顧客口座情報と関連付けて予め記憶した顧客データベースと、
該振込元情報を通知する通知手段とを前記上位装置に備え、
前記上位装置が、自動取引装置から振込取引電文を受信したとき、受信した振込先口座情報に基づいて前記顧客データベースを検索して振込み確認情報および通知先情報を抽出し、該振込み確認情報が振込取引の許可の確認を必要とする場合、該通知先情報で示される通知先へ前記振込元情報を通知し、その通知先から振込取引の許可を受信して振込取引を行なうようにしたことを特徴とする自動取引システム。
【請求項２】
請求項１の自動取引システムにおいて、
前記顧客データベースに、振込取引の許可の確認を行なう振込み元を特定する振込人口座情報と顧客の口座を特定する顧客口座情報とを関連付けて記憶させ、
前記上位装置が、自動取引装置から受信した振込み依頼人口座情報等の振込元口座情報と顧客データベースに記憶された前記振込人口座情報が一致すると判定した場合、前記通知先情報で示される通知先へ前記振込元情報を通知し、その通知先から振込取引の許可を受信して振込取引を行なうようにしたことを特徴とする自動取引システム。
【請求項３】
請求項２の自動取引システムにおいて、
前記顧客データベースに、振込取引の拒否を示す処理方法情報と顧客の口座を特定する顧客口座情報とを関連付けて記憶させ、
前記上位装置が、自動取引装置から受信した振込み依頼人口座情報等の振込元口座情報と顧客データベースに格納された前記振込人口座情報が一致し、前記処理方法情報が拒否を示すと判定した場合、振込取引の成立を拒否するようにしたことを特徴とする自動取引システム。
【請求項４】
請求項２の自動取引システムにおいて、
前記顧客データベースに、振込取引の容認を示す処理方法情報と顧客の口座を特定する顧客口座情報とを関連付けて記憶させ、
前記上位装置が、自動取引装置から受信した振込み依頼人口座情報等の振込元口座情報と顧客データベースに格納された前記振込人口座情報が一致し、前記処理方法情報が容認を示すと判定した場合、振込取引を成立させるようにしたことを特徴とする自動取引システム。
【請求項５】
請求項２、請求項３または請求項４の自動取引システムにおいて、
前記振込人口座情報を、顧客の過去の振込み取引の履歴から選択して顧客データベースに記憶させるようにしたことを特徴とする自動取引システム。
【請求項６】
請求項１から請求項４または請求項５の自動取引システムにおいて、
前記振込み確認情報を、カードから読取った顧客の口座情報および入力された振込取引の許可の確認要否を示す振込み確認情報を自動取引装置から受信した上位装置が前記顧客口座情報に関連付けて顧客データベースに格納するようにしたことを特徴とする自動取引システム。
【請求項７】
請求項１または請求項２の自動取引システムにおいて、
前記上位装置が、該通知先情報で示される通知先へ前記振込元情報を通知したとき、振込取引を一定期間保留するようにしたことを特徴とする自動取引システム。
【請求項８】
請求項７の自動取引システムにおいて、
前記上位装置が、前記一定期間が経過したとき、該振込取引の保留を解除し、該振込取引を成立または不成立にするようにしたことを特徴とする自動取引システム。
【請求項９】
顧客の操作を受け付けて振込み等の取引を行なう自動取引装置において、
振込み依頼人口座情報を挿入されたカードから読取るカード処理部と、
振込取引の許可の確認要否を示す振込み確認情報の入力を受け付ける顧客操作表示部とを備え、
振込み依頼人口座情報および振込み確認情報を上位装置に送信するようにしたことを特徴とする自動取引装置。
【請求項１０】
請求項９の自動取引装置において、
前記顧客操作表示部は、前記振込み確認情報の入力を受け付けるとき、振込取引の許可の確認の内容を表示し、確認の入力を受け付けるようにしたことを特徴とする自動取引装置。
【発明の詳細な説明】
【技術分野】
【０００１】
本発明は、顧客の操作により取引を行う自動取引装置および自動取引システムに関し、特に、口座に現金等を振り込む振込取引を行う自動取引装置および自動取引システムに関する。
【背景技術】
【０００２】
従来の自動取引装置および自動取引システムは、金融機関の営業店に設置される窓口端末や店舗等に設置される自動取引装置等で行われる振込み処理において、振込依頼人から受取人の口座へ現金等を振り込む場合、その受取人の意思に関わらず受取人の口座へ入金されるようにしている。
なお、電話においては受信者が希望しない迷惑電話を拒否するようにしているものがあり（例えば、特許文献１参照）、電子メールにおいても受信者が希望しない迷惑電子メールを拒否するようにしているものがある（例えば、特許文献２参照）。
【特許文献１】特開平９−１０７３９８号公報（段落「００１４」〜段落「００２６」、図１）
【特許文献２】特開２００３−１７９６４３号公報（段落「００１６」〜段落「００３１」、図２）
【発明の開示】
【発明が解決しようとする課題】
【０００３】
しかしながら、上述した従来の技術においては、金融機関の営業店に設置される窓口端末や店舗等に設置される自動取引装置等で行われる振込み処理において、振込依頼人から受取人の口座へ現金等が入金された場合、その受取人が希望しない入金であってもそれを拒否することができないという問題がある。
特に、近年、悪徳な金融業者が受取人に承諾を受けることなく一方的に現金等を振り込み、後日、その受取人がその金融業者より高額な利息の支払いを要求されるという事件が発生し、社会問題になっているが、受取人はこのような悪徳金融業者からの現金等の振込みを拒否することができず事件に巻き込まれてしまうという問題がある。
【０００４】
本発明は、このような問題を解決することを課題とする。
【課題を解決するための手段】
【０００５】
そのため、本発明は、顧客の操作により振込み依頼人口座情報、振込金額等の振込元情報および振込先口座情報の入力を受け付ける自動取引装置と、その自動取引装置から該振込元情報および振込先口座情報を含む振込取引電文を受信して振込取引を行う上位装置とを備えた自動取引システムにおいて、振込みによる入金の許可の確認要否を示す振込み確認情報と、前記振込元情報を通知する通知先情報とを顧客の口座を特定する顧客口座情報と関連付けて予め記憶した顧客データベースと、該振込元情報を通知する通知手段とを前記上位装置に備え、前記上位装置が、自動取引装置から振込取引電文を受信したとき、受信した振込先口座情報に基づいて前記顧客データベースを検索して振込み確認情報および通知先情報を抽出し、該振込み確認情報が振込取引の許可の確認を必要とする場合、該通知先情報で示される通知先へ前記振込元情報を通知し、その通知先から振込取引の許可を受信して振込取引を行なうようにしたことを特徴とする。
【発明の効果】
【０００６】
このようにした本発明は、金融機関の営業店に設置される窓口端末や店舗等に設置される自動取引装置等で行われる振込み処理において、受取人の口座に希望しない入金があった場合、受取人はその入金を拒否することができるという効果が得られる。
【発明を実施するための最良の形態】
【０００７】
以下、図面を参照して本発明による自動取引装置および自動取引システムの実施例を説明する。
【実施例】
【０００８】
まず、第１の実施例について説明する。
図１は第１の実施例における自動取引装置および自動取引システムの構成を示すブロック図、図２は第１の実施例における顧客データベースの構成を示す説明図である。
自動取引システムの構成を説明する。
図１において、１は自動取引装置であり、銀行等の金融機関の店舗またはコンビニエンスストア等の店舗等に設置されるものである。この自動取引装置１は顧客の操作により現金引出しや現金入金および振込み等の取引ができるものである。また、通信回線２に通信可能に接続されている。
【０００９】
３はホストコンピュータであり、銀行等の金融機関の事務センタ等に設置される自動取引装置１の上位装置である。このホストコンピュータ３はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１０】
また、このホストコンピュータ３は自動取引装置１との間で現金引出し、現金入金、振込み等の取引電文の送受信を行い顧客の取引を成立させるか否かを判断するとともにその取引の処理を行う。さらに、顧客の口座番号と顧客の暗証番号等で本人であるか否かの本人認証も行なう。
またさらに、ホストコンピュータ３は図示しない送受信装置で端末等と相互に無線通信を含む通信が可能になっており、電子メール等の送受信を行うことができるものである。
【００１１】
４は顧客データベースであり、ホストコンピュータ３に備えられたものである。この顧客データベース４は、振込依頼人から受取人へ現金の振込みがあったとき、受取人にその振込みを許可することを確認するか否かを決定するための振込み確認情報を顧客口座番号毎に記憶するものであり、顧客の口座番号等の口座情報に関連付けてその振込み確認情報を記憶する。したがって、ホストコンピュータ３は顧客の口座番号等の口座情報に基づいて顧客データベース４を検索し、その振込み確認情報を抽出することができる。
【００１２】
ここで、振込み確認情報は、顧客が自動取引装置１で行なう操作により設定することができるものであり、詳細は後述する。
なお、顧客データベース４は、振込み確認情報以外にも顧客の口座番号等の口座情報に関連付けて住所、氏名、電話番号および本人認証のための暗証番号等が格納されたものである。
【００１３】
５は端末であり、パーソナルコンピュータ等である。この端末５はＣＰＵ、ＭＰＵ等の演算および制御を行う制御部、磁気ディスク、半導体メモリ等の記憶部、ＣＲＴ（Ｃａｔｈｏｄｅ  Ｒａｙ  Ｔｕｂｅ）、液晶ディスプレイ等の表示部、キーボードやマウス等の入力部および通信回線２を介してホストコンピュータ３等と文字データ、画像データ、音声データ等の各種データの通信制御を行う通信制御部等を備えるものである。
【００１４】
なお、端末５は顧客が所持する携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）や持ち運び可能なノート型パーソナルコンピュータ等であってもよい。
上述したように自動取引システムは通信回線２を介して相互に通信可能に接続された自動取引装置１、ホストコンピュータ３、端末５等で構成されたものである。
【００１５】
次に、自動取引装置の構成を説明する。
図１において、１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が行なう入力操作等を検知するものであり、また、取引選択画面、顧客が選択した取引に対して顧客の入力操作等の誘導を行なう画面および入力された情報等を表示するものである。
【００１６】
顧客操作表示部１１で検知した入力操作等は後述する制御部に信号を出力して通知する。
１２はカード処理部であり、カード読取り書込み機構およびカード搬送機構等を備えたものである。このカード処理部１２は、顧客がカード挿入返却口に挿入したカードの磁気ストライプやＩＣチップ等から口座番号等の口座情報を読取る。口座番号等の口座情報を読取ったカードはカード挿入返却口から排出して顧客に返却する。このカード挿入返却口はカードの挿入を検知する機構およびカードの受取りを検知する機構を設けたものである。
【００１７】
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１８】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１９】
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行なう取引に必要な情報等を記憶する。
１５は制御部であり、ＣＰＵ等の演算および制御手段等で構成されたものである。この制御部１５は顧客操作表示部１１、カード処理部１２、入出金部１３および記憶部１４を含めて自動取引装置１全体の動作を記憶部１４に格納された制御プログラム（ソフトウェア）に基づいて制御する。
【００２０】
なお、制御部１５は日時や時刻等を計測する手段であるカレンダーおよび時計機能等も有している。
次に、顧客データベースの構成について説明する。
図２において、２１は顧客口座情報であり、顧客が所有する金融機関等の口座を識別する情報、すなわち、金融機関名、支店名、口座番号等の情報を格納するものである。この顧客口座情報２１に関連付けて各種情報を顧客データベース４に格納する。なお、この顧客口座情報２１は顧客が口座を開設したときにその口座情報が格納されるものとする。
【００２１】
２２は電子メールアドレスであり、ホストコンピュータ３が顧客に電子メールを送信する宛先（通知先）を格納する。ホストコンピュータ３はこの電子メールアドレス２２へ電子メールで情報を送信することで顧客に各種の情報を通知することができるものである。
２３は振込み確認であり、振込依頼人から現金の振込みがあったとき、その振込みによる入金を許可することを確認するか否かの情報を格納する。ここで、振込み確認２３が「有」のとき、振込みを許可することを確認することが必要であることを示し、「無」のとき、振込みを許可することを確認することが不要であることを示す。
【００２２】
上述したように顧客データベース４は、顧客口座情報２１、電子メールアドレス２２および振込み確認２３で構成され、顧客口座情報２１に関連付けて電子メールアドレス２２および振込み確認２３が格納されているものである。
上述した構成の作用について説明する。
なお、以下に説明する各部の動作は、記憶部１４に格納されたプログラム（ソフトウェア）に基づいて図示しない中央処理装置等の制御手段により制御される。
【００２３】
まず、顧客が自動取引装置１を操作し、自己の口座に振込みがあった場合、その振込みの可否を確認するか否かの情報を顧客データベース４の振込み確認２３に設定（以下、「振込み設定」という。）する動作について説明する。図３は第１の実施例における振込み設定の処理を示すフローチャートであり、図中Ｓで表すステップにしたがって説明する。
Ｓ１ａ：図示しない自動取引装置１の近接センサにより顧客の接近を検知すると自動取引装置１の顧客操作表示部１１は図４に示す取引選択画面を表示する。この取引選択画面は、「いらっしゃいませ。お取引をお選びください。」等の文言および「お引出し」、「お振込み」３１、「振込み設定」３２、「お預入れ」、「残高照会」等の取引選択ボタンで構成されたものである。
【００２４】
Ｓ２ａ：顧客操作表示部１１に取引選択画面が表示されると顧客は希望する取引に対応する取引選択ボタンである「振込み設定」３２を押下する。
顧客操作表示部１１が「振込み設定」３２の取引選択ボタンの押下を検知すると顧客操作表示部１１は制御部１５の指示により顧客にカードの挿入を促すカード挿入誘導画面を表示する。顧客はカード挿入誘導画面にしたがって所持しているカードをカード処理部１２のカード挿入排出口から挿入する。
【００２５】
Ｓ３ａ：カード処理部１２は挿入されたカードの磁気ストライプやＩＣチップ等から口座番号等の口座情報を読取る。カードが挿入されると顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００２６】
Ｓ４ａ：顧客が暗証番号を入力すると制御部１５は通信回線２を介してその暗証番号をカードから読取った口座情報等とともにホストコンピュータ３へ送信する。
ホストコンピュータ３は受信した顧客の口座番号等の口座情報に基づいて顧客データベース４を検索して暗証番号を抽出し、受信した暗証番号と比較して一致するか否かの照合、すなわち、本人認証を行う。ホストコンピュータ３は通信部を介してその結果を自動取引装置１へ送信する。
【００２７】
なお、本人認証は暗証番号を使用したものに限られるものでなく、生体認証等を使用した本人認証であってもよい。
Ｓ５ａ：本人認証の結果、本人であることが確認できると自動取引装置１の顧客操作表示部１１は図５に示す振込み設定画面を表示する。この振込み設定画面は「設定」ボタン３３ならびに「解除」ボタン３４および「振込み設定される場合は「設定」に触れてください。現在設定されている内容を解除する場合は「解除」に触れてください。」等の文言で構成されたものである。
【００２８】
なお、本人認証の結果、本人であることが確認できなかった場合、制御部１５の指示によりカード処理部１２は挿入されたカードを顧客に返却して振込み設定の取引を終了する。
Ｓ６ａ：自動取引装置１の制御部１５は顧客による「設定」ボタン３３または「解除」ボタン３４の押下を待つ。
【００２９】
Ｓ７ａ：顧客操作表示部１１が「設定」ボタン３３の押下を検知すると顧客操作表示部１１は図６に示す振込み設定内容確認画面を表示する。この振込み設定内容確認画面は「お客様への口座へのお振込みが有った場合、お客様に通知し処理方法を確認させていただきます。処理方法のご確認期限はメール受信後１週間以内とし、それ以上を経過した場合、お客様が振込み処理を受領したものとします。よろしければ確認にふれてください。」等の文言と「取り消し」ボタンおよび「確認」ボタン３５で構成されたものである。
【００３０】
なお、メール受信後１週間を経過すると振込み処理を受領したものとするようにしたが、これは事前の登録により禁止することができるものとする。
Ｓ８ａ：一方、顧客操作表示部１１が「解除」ボタン３４の押下を検知すると顧客操作表示部１１は図７に示す振込み設定解除画面を表示する。この振込み設定解除画面は「お客様の振込み設定を解除いたします。よろしければ確認にふれてください。」等の文言と「取り消し」ボタンおよび「確認」ボタン３６で構成されたものである。
【００３１】
Ｓ９ａ：顧客操作表示部１１が振込み設定内容確認画面の「確認」ボタン３５の押下を検知すると制御部１５は通信回線２を介して振込み設定を行なう旨の情報をカードから読取った口座情報等とともにホストコンピュータ３へ送信する。
一方、顧客操作表示部１１が振込み設定解除画面の「確認」ボタン３６の押下を検知すると制御部１５は通信回線２を介して振込み設定を解除する旨の情報をカードから読取った口座情報等とともにホストコンピュータ３へ送信する。
【００３２】
なお、振込み設定内容確認画面の「取り消し」ボタンまたは振込み設定解除画面の「取り消し」ボタンの押下を検知すると制御部１５の指示によりカード処理部１２は挿入されたカードを顧客に返却し、振込み設定の取引を終了する。
Ｓ１０ａ：振込み設定を行なう旨の情報または振込み設定を解除する旨の情報をカードから読取った口座情報等とともに受信したホストコンピュータ３は顧客データベース４の顧客口座情報２１をカードから読取った口座情報に基づいて検索し、その検索された顧客口座情報２１に関連付けて振込み確認２３に「有」または「無」の情報を格納する。
【００３３】
ここで、ホストコンピュータ３は受信した情報が、振込み設定を行なう旨の情報であるとき振込み確認２３に「有」を格納し、振込み設定を解除する旨の情報であるとき振込み確認２３に「無」を格納するものとする。
ホストコンピュータ３は顧客データベース４の振込み確認２３に「有」または「無」の情報を格納すると設定が終了した旨または設定を解除した旨の電文を自動取引装置１へ送信する。
【００３４】
Ｓ１１ａ：設定が終了した旨または設定を解除した旨の電文を受信した自動取引装置１の顧客操作表示部１１は図８に示す振込み設定終了画面または図９に示す振込み設定解除終了画面を表示する。
振込み設定終了画面は「お客様へのお振込みがあった場合、お客様に通知し処理方法を確認させていただく設定が完了しました。」等の文言および「確認」ボタン、振込み設定解除終了画面は「お客様の振込み設定を解除いたしました。」等の文言および「確認」ボタンで構成され、顧客操作表示部１１は設定が終了した旨の電文を受信したとき図８に示す振込み設定終了画面を表示し、設定を解除した旨の電文を受信したとき図９に示す振込み設定解除終了画面を表示するものとする。
【００３５】
Ｓ１２ａ：振込み設定終了画面または振込み設定解除終了画面の「確認」ボタンの押下を顧客操作表示部１１で検知すると制御部１５の指示によりカード処理部１２がカードを顧客に返却して振込み設定の取引を終了する。
次に、振込依頼人が自動取引装置１を操作して行う振込取引の動作について説明する。図１０は第１の実施例における振込み処理を示すフローチャートであり、図中Ｓで表すステップにしたがって説明する。
【００３６】
Ｓ１ｂ：図示しない自動取引装置１の近接センサにより振込依頼人である顧客（氏名：△△△△）の接近を検知すると自動取引装置１の顧客操作表示部１１は図４に示す取引選択画面を表示する。この取引選択画面は、「いらっしゃいませ。お取引をお選びください。」等の文言および「お引出し」、「お振込み」３１、「振込み設定」３２、「お預入れ」、「残高照会」等の取引選択ボタンから構成されたものである。
【００３７】
Ｓ２ｂ：顧客操作表示部１１に取引選択画面が表示されると顧客は希望する取引に対応する取引選択ボタンである「お振込み」３１を押下する。
顧客操作表示部１１が「お振込み」３１の取引選択ボタンの押下を検知すると顧客操作表示部１１は制御部１５の指示により振込依頼人にカードの挿入を促すカード挿入誘導画面を表示する。振込依頼人はカード挿入誘導画面にしたがって所持しているカードをカード処理部１２のカード挿入排出口から挿入する。
【００３８】
Ｓ３ｂ：カード処理部１２は挿入されたカードの磁気ストライプやＩＣチップ等から口座番号等の口座情報を読取る。カードが挿入されると顧客操作表示部１１は振込依頼人の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると振込依頼人は表示された操作ボタンを押下して暗証番号を入力する。
【００３９】
Ｓ４ｂ：振込依頼人が暗証番号を入力すると制御部１５は通信回線２を介してその暗証番号をカードから読取った口座情報等とともにホストコンピュータ３へ送信する。
ホストコンピュータ３は受信した振込依頼人の口座情報等の口座情報に基づいて顧客データベース４を検索して暗証番号を抽出し、受信した暗証番号と比較して一致するか否かの照合、すなわち、本人認証を行う。ホストコンピュータ３は通信部を介してその結果を自動取引装置１へ送信する。
【００４０】
なお、本人認証は暗証番号を使用したものに限られるものでなく、生体認証等を使用した本人認証であってもよい。
Ｓ５ｂ：本人認証の結果、本人であることが確認できると自動取引装置１の顧客操作表示部１１は通常の振込み情報入力画面を表示する。この振込み情報入力画面において、振込依頼人は振込先である受取人（氏名：○○○○）の金融機関名、支店名、口座番号等の口座情報および振込み金額等の振込み情報を入力する。
【００４１】
なお、本人認証の結果、本人であることが確認できなかった場合、制御部１５の指示によりカード処理部１２は挿入されたカードを振込依頼人に返却して振込み設定の取引を終了する。
Ｓ６ｂ：顧客操作表示部１１で受取人の金融機関名、支店名、口座番号および振込み金額等の振込み情報の入力を受け付けると制御部１５はその振込み情報をカードから読取った振込依頼人の口座情報とともにホストコンピュータ３へ送信する。
【００４２】
Ｓ７ｂ：振込み情報およびカードから読取った振込依頼人の口座情報を受信したホストコンピュータ３は顧客データベース４の顧客口座情報２１を受取人の金融機関名、支店名、口座番号等の顧客口座情報に基づいて検索して振込み確認２３および電子メールアドレス２２を抽出し、その振込み確認２３を自動取引装置１へ送信する。なお、抽出した電子メールアドレス２２は記憶部１４に記憶させておくものとする。
【００４３】
Ｓ８ｂ：振込み確認２３を受信した自動取引装置１の制御部１５は振込み確認が「有」または「無」のいずれであるかを判定する。ここで、振込み確認が「無」であると判定されるとＳ１８ｂにおける振込み処理の実行を待って処理をＳ１９ｂへ移行する。
Ｓ９ｂ：振込み確認が「有」であると判定されると制御部１５の指示により顧客操作表示部１１は図１１に示す振込み取引保留画面を表示する。この振込み取引保留画面は「２００５／０８／０１（日付）  お客様の下記の取引は先方に確認した後処理させていただくため、保留にさせていただきます。ご了承ください。金融機関名：いろは銀行  支店名：いろは支店  口座番号：８７６５４３  口座名義人：○○  ○○様  お振込み金額：￥１００、０００−」等の文言および「確認」ボタンで構成されたものである。顧客は振込み取引保留画面の表示内容を確認し「確認」ボタンを押下する。
【００４４】
Ｓ１０ｂ：「確認」ボタンの押下を顧客操作表示部１１で検知すると制御部１５の指示によりカード処理部１２がカードを振込依頼人に返却して振込み取引を終了する。
Ｓ１１ｂ：一方、振込み確認２３を顧客データベース４から抽出したホストコンピュータ３は振込み確認２３が「有」または「無」のいずれであるかを判定する。
Ｓ１２ｂ：振込み確認が「有」であると判定されるとホストコンピュータ３は記憶部１４からＳ７ｂで記憶させた電子メールアドレスを読み出し、その電子メールアドレス、すなわち、受取人の電子メールアドレスに振込み確認メッセージを送信する。
【００４５】
受取人はその電子メールアドレスに送信された振込み確認メッセージを端末５の表示部に表示させ、その内容を確認する。この振込み確認メッセージは図１２に示すように「２００５／０８／０１（日付）  お客様の口座へ下記のお振込みを受け付けています。  お振込み人：△△  △△様  お振込み金額：￥１００、０００−  お振込みを受領しますか？受領する場合はＹｅｓ、拒否する場合はＮｏとご返信ください。」等の文言で構成されたものである。
【００４６】
なお、この振込み確認メッセージに問い合わせ番号等のＩＤを付与して表示し、後刻照会できるようにしてもよい。
受取人は端末５の入力部から「Ｙｅｓ」または「Ｎｏ」を入力して振込み確認の結果を電子メールでホストコンピュータ３へ返信する。
Ｓ１３ｂ：ホストコンピュータ３は受取人の端末５から送信された振込み確認の結果を受信する。
【００４７】
Ｓ１４ｂ：電子メールで振込み確認の結果を受信したホストコンピュータ３はその振込み確認の結果がその振込みを受領することを示す「Ｙｅｓ」またはその振込みを拒否することを示す「Ｎｏ」のいずれであるかを判定する。
Ｓ１５ｂ：振込み確認の結果が「Ｙｅｓ」であると判定されるとホストコンピュータ３は振込依頼人の口座から受取人の口座へ現金の移動を行う振込み処理を実行する。
【００４８】
Ｓ１６ｂ：振込み処理を実行したホストコンピュータ３は振込み取引成立メッセージを振込依頼人の電子メールアドレスへ送信する。ここで、振込依頼人の電子メールアドレスは、ホストコンピュータ３がカードから読取った口座情報に基づいて顧客データベース４を検索し、電子メールアドレス２２を抽出するものとする。
振込依頼人はその電子メールアドレスに送信された振込み取引成立メッセージを端末５の表示部に表示させ、振込み取引が成立したことを確認する。この振込み取引成立メッセージは図１４に示すように「２００５／０８／０１（日付）  お客様の下記の取引が本日完了いたしましたのでご連絡します。金融機関名：いろは銀行  支店名：いろは支店  口座番号：８７６５４３  口座名義人：○○  ○○様  お振込み金額：￥１００、０００−」等の文言で構成されたものである。
【００４９】
Ｓ１７ｂ：一方、Ｓ１４ｂにおいて振込み確認の結果が「Ｎｏ」であると判定されるとホストコンピュータ３は振込み拒否メッセージを振込依頼人の電子メールアドレスへ送信する。ここで、振込依頼人の電子メールアドレスは、ホストコンピュータ３がカードから読取った口座情報に基づいて顧客データベース４の顧客口座情報２１の顧客口座情報２１を検索し、電子メールアドレス２２を抽出するのは上述したとおりである。
【００５０】
この振込み拒否メッセージは図１３に示すように「２００５／０８／０１（日付）  お客様の下記の取引は先方の都合により成立しませんでした。金融機関名：いろは銀行  支店名：いろは支店  口座番号：８７６５４３  口座名義人：○○  ○○様  お振込み金額：￥１００、０００−  振込先のお客様へお問い合わせください。」等の文言で構成されたものである。
【００５１】
このようにして振込依頼人である顧客の操作による振込取引を終了する。
Ｓ１８ｂ：なお、Ｓ７ｂにおいてホストコンピュータ３が顧客データベース４から抽出した受取人の振込み確認２３が「無」と判定された場合、ホストコンピュータ３は受取人に振込みの受領または拒否を確認することなく、振込み処理を実行し、その結果を自動取引装置１へ送信する。
【００５２】
Ｓ１９ｂ：ホストコンピュータ３で行った振込み処理の結果を受信した自動取引装置１の制御部１５は顧客操作表示部１１に振込み処理が終了した旨の画面を表示し、カード処理部１２により挿入されたカードを振込依頼人に返却して振込取引を終了する。
なお、本実施例では、ホストコンピュータ３は、顧客データベース４から抽出した振込み確認２３が「有」と判定すると受取人の電子メールアドレスに振込み確認メッセージを送信するようにしたが、自動取引装置１から振込み確認メッセージの送信を依頼する電文を受信した後、受取人の電子メールアドレスに振込み確認メッセージを送信するようにしてもよい。
【００５３】
以上説明したように、第１の実施例では、振込み取引において、振込先である受取人に振込みを許可するか否かを確認することにより、受取人が望まない振込みを拒否することができるという効果が得られる。
また、受取人である顧客は、振込みの可否を確認する設定およびその解除を自動取引装置の操作により容易に行なうことができるという効果が得られる。
次に、第２の実施例を説明する。
【００５４】
第２の実施例の構成は、第１の実施例の構成と顧客データベース４の構成のみが異なるものであるので、顧客データベース４の構成を説明することとし、上述した第１の実施例と同様の部分は、同一の符号を付してその説明を省略する。
図１５は本発明の第２の実施例における顧客データベースの構成を示す説明図である。
図１５において、顧客口座情報２１、電子メールアドレス２２および振込み確認２３は第１の実施例と同様なのでその説明を省略する。
【００５５】
２４は対象であり、振込み確認２３が「有」に設定されているとき、受取人に振込みの可否を確認する対象、すなわち、すべて振込依頼人からの振込みに対してその振込みの可否を確認するか、特定の振込依頼人からの振込みに対してその振込みの可否を確認するかを格納するものである。
この対象２４に「すべて」が格納されているとき、すべて振込依頼人からの振込みに対してその振込みの可否を確認することを示し、「特定」が格納されているとき、特定の振込依頼人からの振込みに対してその振込みの可否を確認することを示すものとする。
【００５６】
２５は振込人口座情報であり、対象２４に「特定」が格納されているときに振込みの可否を確認する対象である振込依頼人が所有する口座の金融機関名、支店名、口座番号等の情報を格納するものである。なお、この振込人口座情報２５はひとつの顧客口座情報２１に対して複数の情報が格納できるものとする。
上述したように顧客データベース４は、顧客口座情報２１、電子メールアドレス２２、振込み確認２３、対象２４および振込人口座情報２５で構成され、顧客口座情報２１に関連付けて電子メールアドレス２２、振込み確認２３、対象２４および振込人口座情報２５が格納されているものである。
【００５７】
上述した構成の作用について説明する。
なお、以下に説明する各部の動作は、記憶部１４に格納されたプログラム（ソフトウェア）に基づいて図示しない中央処理装置等の制御手段により制御される。
まず、顧客が自動取引装置１を操作し、自己の口座に振込みがあった場合、その振込みの可否を確認するか否かの情報を顧客データベース４の振込み確認２３、対象２４および振込人口座情報２５に設定する動作について説明する。図１６は第２の実施例における振込み設定の処理を示すフローチャートであり、図中Ｓで表すステップにしたがって説明する。
【００５８】
Ｓ１ｃ〜Ｓ６ｃ：図３におけるＳ１ａ〜Ｓ６ａと同様なのでその説明を省略する。
Ｓ７ｃ：顧客操作表示部１１が「設定」ボタン３３の押下を検知すると顧客操作表示部１１は図１７に示す振込み設定適用範囲選択画面を表示する。この振込み設定適用範囲選択画面は「すべてお振込み」ボタン３７、「特定のお振込み」ボタン３８ならびに「取り消し」ボタンおよび「振り込み設定の適用範囲を選択してください」、「お客様の口座へのお振込みに対して「すべてのお振込み」を選択された場合、お客様の口座へのお振込みすべてに振込み設定が適用されます。「特定のお振込み」を選択された場合は、特定のお振込みが有った場合のみ振込み設定が適用されます。」等の文言で構成されたものである。
【００５９】
Ｓ８ｃ：自動取引装置１の制御部１５は顧客による「すべてお振込み」ボタン３７または「特定のお振込み」ボタン３８の押下を待つ。
Ｓ９ｃ：顧客操作表示部１１が「特定のお振込み」ボタン３８の押下を検知すると顧客操作表示部１１は図１８に示す被振込み履歴表示画面を表示する。このとき、自動取引装置１の制御部１５はホストコンピュータ３の記憶部に記憶された振込み取引の履歴から顧客の口座情報に基づいて抽出した顧客に対して振込みが行われた被振込み履歴の情報をホストコンピュータ３から受信するものとする。この被振込み履歴の情報は振込みが行われた年月日、氏名を含む振込依頼人の口座情報および振込金額等で構成されたものである。
【００６０】
この被振込み履歴表示画面は「お客様の被振込履歴を表示します  今後振り込み設定を適用する取引に軽くふれて選択してください。」等の文言および「２００５年１月１５日  お振込み人  △△  △△様  金額￥１００、０００」等の文言で振込みが行われた年月日、振込依頼人および振込金額を表示した被振込履歴ボタン４０、「２００４年１２月１日  お振込み人  △△  △△様  金額￥１００、０００」等の文言で振込みが行われた年月日、振込依頼人および振込金額を表示した被振込履歴ボタン４１、「２００４年１２月１日  お振込み人  □  □□様  金額￥１００、０００」等の文言で振込みが行われた年月日、振込依頼人および振込金額を表示した被振込履歴ボタン４２、「確認」ボタン４３、「取り消し」ボタン、被振込履歴ボタンの表示をスクロールさせる「前頁」ボタンならびに「次頁」ボタン等で構成されたものである。
【００６１】
顧客は被振込み履歴表示画面に表示された被振込履歴ボタンを押下して振込み確認を行う振込依頼人を選択する。本実施例では、被振込履歴ボタン４０が押下されたものとする。なお、振込み確認を行う振込依頼人の選択はひとつの限られることなく複数選択できるようにしてもよい。
Ｓ１０ｃ：顧客操作表示部１１が「確認」ボタン４３の押下を検知すると顧客操作表示部１１は図１９に示す振込み設定内容確認画面を表示する。この振込み設定内容確認画面は「内容をご確認ください  お振込み人  △△  △△様  今後「△△  △△様」からお客様への口座へのお振込みが有った場合、お客様に通知し、ご確認後処理させていただきます。よろしければ「確認」にふれてください。」等の文言と「取り消し」ボタンおよび「確認」ボタン４４で構成されたものである。
【００６２】
なお、Ｓ８ｃにおいて「すべてお振込み」ボタン３７が押下され、顧客操作表示部１１がすべてお振込み」ボタン３７の押下を検知すると顧客操作表示部１１は図６に示す振込み設定内容確認画面を表示する。この振込み設定内容確認画面は「お客様への口座へのお振込みが有った場合、お客様に通知し処理方法を確認させていただきます。処理方法のご確認期限はメール受信後１週間以内とし、それ以上を経過した場合、お客様が振込み処理を受領したものとします。よろしければ確認にふれてください。」等の文言と「取り消し」ボタンおよび「確認」ボタン３５で構成されたものである。
【００６３】
Ｓ１１ｃ：一方、Ｓ６ｃにおいて「解除」ボタン３４が押下され、顧客操作表示部１１が「解除」ボタン３４の押下を検知すると顧客操作表示部１１は図７に示す振込み設定解除画面を表示する。この振込み設定解除画面は「お客様の振込み設定を解除いたします。よろしければ確認にふれてください。」等の文言と「取り消し」ボタンおよび「確認」ボタン３６で構成されたものである。
【００６４】
Ｓ１２ｃ：顧客操作表示部１１が振込み設定内容確認画面の「確認」ボタン４４の押下を検知すると制御部１５は通信回線２を介して、Ｓ８ｃにおいて「特定のお振込み」ボタン３８が押下された場合は振込み設定を行なう旨の情報、特定の振込み依頼人に対して確認を行なう旨および選択された振込依頼人の口座情報を、Ｓ８ｃにおいて「すべてお振込み」ボタン３７が押下された場合は振込み設定を行なう旨の情報およびすべての振込み依頼人に対して確認を行なう旨の情報を、カードから読取った口座情報等とともにホストコンピュータ３へ送信する。
【００６５】
一方、顧客操作表示部１１が振込み設定解除画面の「確認」ボタン３６の押下を検知すると制御部１５は通信回線２を介して振込み設定を解除する旨の情報をカードから読取った口座情報等とともにホストコンピュータ３へ送信する。
なお、振込み設定内容確認画面の「取り消し」ボタンまたは振込み設定解除画面の「取り消し」ボタンの押下を検知すると制御部１５の指示によりカード処理部１２は挿入されたカードを顧客に返却し、振込み設定の取引を終了する。
【００６６】
Ｓ１３ｃ：振込み設定を行なう旨の情報または振込み設定を解除する旨の情報をカードから読取った口座情報等とともに受信したホストコンピュータ３は顧客データベース４の顧客口座情報２１をカードから読取った口座情報に基づいて検索し、その顧客口座情報２１に関連付けて振込み確認２３に「有」または「無」の情報を格納する。
ここで、ホストコンピュータ３は受信した情報が、振込み設定を行なう旨の情報であるとき振込み確認２３に「有」を格納し、振込み設定を解除する旨の情報であるとき振込み確認２３に「無」を格納するものとする。
【００６７】
さらに、ホストコンピュータ３は特定の振込み依頼人に対して確認を行なう旨の情報を受信した場合、対象２４に「特定」を格納し、すべての振込み依頼人に対して確認を行なう旨の情報を受信した場合、対象２４に「すべて」を格納する。また、選択された振込依頼人の口座情報を受信した場合、振込人口座情報２５にその振込依頼人の口座情報を格納する。
【００６８】
ホストコンピュータ３は顧客データベース４の振込み確認２３、対象２４および振込人口座情報２５等の情報を格納すると設定が終了した旨または設定を解除した旨の電文を自動取引装置１へ送信する。
Ｓ１４ｃ：設定が終了した旨または設定を解除した旨の電文を受信した自動取引装置１の顧客操作表示部１１は図８に示す振込み設定終了画面または図９に示す振込み設定解除終了画面を表示する。
【００６９】
振込み設定終了画面は「お客様へのお振込みがあった場合、お客様に通知し処理方法を確認させていただく設定が完了しました。」等の文言および「確認」ボタン、振込み設定解除終了画面は「お客様の振込み設定を解除いたしました。」等の文言および「確認」ボタンで構成され、顧客操作表示部１１は設定が終了した旨の電文を受信したとき図８に示す振込み設定終了画面を表示し、設定を解除した旨の電文を受信したとき図９に示す振込み設定解除終了画面を表示するものとする。
【００７０】
Ｓ１５ｃ：振込み設定終了画面または振込み設定解除終了画面の「確認」ボタンの押下を顧客操作表示部１１で検知すると制御部１５の指示によりカード処理部１２がカードを顧客に返却して振込み設定の取引を終了する。
次に、振込依頼人が自動取引装置１を操作して行う振込取引の動作について説明する。図２０は第２の実施例における振込み処理を示すフローチャートであり、図中Ｓで表すステップにしたがって説明する。
【００７１】
Ｓ１ｄ〜Ｓ６ｄ：図１０におけるＳ１ｂ〜Ｓ６ｂと同様なのでその説明を省略する。
Ｓ７ｄ：振込み情報およびカードから読取った振込依頼人の口座情報を受信したホストコンピュータ３は顧客データベース４の顧客口座情報２１を受取人の金融機関名、支店名、口座番号等の顧客口座情報に基づいて検索して振込み確認２３、電子メールアドレス２２、対象２４および振込人口座情報２５を抽出する。
【００７２】
ホストコンピュータ３は抽出した振込み確認２３、対象２４ならびに振込人口座情報２５および振込依頼人の口座情報から振込み確認の要否を判定する。例えば、振込み確認２３が「有」、対象２４が「特定」かつ、振込人口座情報２５と振込依頼人の口座情報とが一致する場合は「振込み確認要」と判定し、また、振込み確認２３が「有」かつ、対象２４が「すべて」の場合も「振込み確認要」と判定する。一方、振込み確認２３が「有」、対象２４が「特定」であるが、振込人口座情報２５と振込依頼人の口座情報とが一致しない場合は「振込み確認不要」と判定し、また、振込み確認２３が「無」の場合も「振込み確認不要」と判定する。
【００７３】
ホストコンピュータ３は「振込み確認要」または「振込み確認不要」を示す振込み確認情報を自動取引装置１へ送信する。なお、抽出した電子メールアドレス２２は記憶部１４に記憶させておくものとする。
Ｓ８ｄ：振込み確認情報を受信した自動取引装置１の制御部１５は振込み確認情報が「振込み確認要」または「振込み確認不要」のいずれであるかを判定する。ここで、振込み確認情報が「振込み確認不要」であると判定されるとＳ１８ｄにおける振込み処理の実行を待って処理をＳ１９ｄへ移行する。
【００７４】
Ｓ９ｄ：振込み確認情報が「振込み確認要」であると判定されると制御部１５の指示により顧客操作表示部１１は図１１に示す振込み取引保留画面を表示する。この振込み取引保留画面は「２００５／０８／０１（日付）  お客様の下記の取引は先方に確認した後処理させていただくため、保留にさせていただきます。ご了承ください。金融機関名：いろは銀行  支店名：いろは支店  口座番号：８７６５４３  口座名義人：○○  ○○様  お振込み金額：￥１００、０００−」等の文言および「確認」ボタンで構成されたものである。顧客は振込み取引保留画面の表示内容を確認し「確認」ボタンを押下する。
【００７５】
Ｓ１０ｄ：「確認」ボタンの押下を顧客操作表示部１１で検知すると制御部１５の指示によりカード処理部１２がカードを振込依頼人に返却して振込み取引を終了する。
Ｓ１１ｄ：一方、Ｓ７ｄにおいてホストコンピュータ３が判定した結果が「振込み確認要」である場合、Ｓ１２ｄへ処理を移行し、「振込み確認不要」である場合、Ｓ１７ｄへ処理を移行する。
【００７６】
Ｓ１２ｄ：判定の結果が「振込み確認要」であるときホストコンピュータ３は記憶部１４からＳ７ｄで記憶させた電子メールアドレスを読み出し、その電子メールアドレス、すなわち、受取人の電子メールアドレスに振込み確認メッセージを送信する。
受取人はその電子メールアドレスに送信された振込み確認メッセージを端末５の表示部に表示させ、その内容を確認する。この振込み確認メッセージは図１２に示すように「２００５／０８／０１（日付）  お客様の口座へ下記のお振込みを受け付けています。  お振込み人：△△  △△様  お振込み金額：￥１００、０００−  お振込みを受領しますか？受領する場合はＹｅｓ、拒否する場合はＮｏとご返信ください。」等の文言で構成されたものである。
【００７７】
受取人は端末５の入力部から「Ｙｅｓ」または「Ｎｏ」を入力して振込み確認の結果を電子メールでホストコンピュータ３へ返信する。
Ｓ１３ｄ：ホストコンピュータ３は受取人の端末５から送信された振込み確認の結果を受信する。
Ｓ１４ｄ：電子メールで振込み確認の結果を受信したホストコンピュータ３はその振込み確認の結果がその振込みを受領することを示す「Ｙｅｓ」またはその振込みを拒否することを示す「Ｎｏ」のいずれであるかを判定する。
【００７８】
Ｓ１５ｄ：振込み確認の結果が「Ｙｅｓ」であると判定されるとホストコンピュータ３は振込依頼人の口座から受取人の口座へ現金の移動を行う振込み処理を実行する。
Ｓ１６ｄ：振込み処理を実行したホストコンピュータ３は振込み取引成立メッセージを振込依頼人の電子メールアドレスへ送信する。ここで、振込依頼人の電子メールアドレスは、ホストコンピュータ３がカードから読取った口座情報に基づいて顧客データベース４の顧客口座情報２１を検索し、電子メールアドレス２２を抽出するものとする。
【００７９】
振込依頼人はその電子メールアドレスに送信された振込み取引成立メッセージを端末５の表示部に表示させ、振込み取引が成立したことを確認する。この振込み取引成立メッセージは図１４に示すように「２００５／０８／０１（日付）  お客様の下記の取引が本日完了いたしましたのでご連絡します。金融機関名：いろは銀行  支店名：いろは支店  口座番号：８７６５４３  口座名義人：○○  ○○様  お振込み金額：￥１００、０００−」等の文言で構成されたものである。
【００８０】
Ｓ１７ｄ：一方、Ｓ１４ｄにおいて振込み確認の結果が「Ｎｏ」であると判定されるとホストコンピュータ３は振込み拒否メッセージを振込依頼人の電子メールアドレスへ送信する。ここで、振込依頼人の電子メールアドレスは、ホストコンピュータ３がカードから読取った口座情報に基づいて顧客データベース４の顧客口座情報２１を検索し、電子メールアドレス２２を抽出するのは上述したとおりである。
【００８１】
この振込み拒否メッセージは図１３に示すように「２００５／０８／０１（日付）  お客様の下記の取引は先方の都合により成立しませんでした。金融機関名：いろは銀行  支店名：いろは支店  口座番号：８７６５４３  口座名義人：○○  ○○様  お振込み金額：￥１００、０００−  振込先のお客様へお問い合わせください。」等の文言で構成されたものである。
【００８２】
このようにして振込依頼人である顧客の操作による振込取引を終了する。
Ｓ１８ｄ：なお、Ｓ７ｄにおいてホストコンピュータ３が「振込み確認不要」と判定した場合、ホストコンピュータ３は受取人に振込みの受領または拒否を確認することなく、振込み処理を実行し、その結果を自動取引装置１へ送信する。
Ｓ１９ｄ：ホストコンピュータ３で行った振込み処理の結果を受信した自動取引装置１の制御部１５は顧客操作表示部１１に振込み処理が終了した旨の画面を表示し、カード処理部１２により挿入されたカードを振込依頼人に返却して振込取引を終了する。
【００８３】
なお、本実施例では、Ｓ１１ｄにおいてホストコンピュータ３は「振込み確認要」と判定すると受取人の電子メールアドレスに振込み確認メッセージを送信するようにしたが、自動取引装置１から振込み確認メッセージの送信を依頼する電文を受信した後、受取人の電子メールアドレスに振込み確認メッセージを送信するようにしてもよい。
以上説明したように、第２の実施例では、第１の実施例の効果に加え、特定の振込依頼人からの振込みについて許可するか否かを確認することにより、受取人が望まない特定の振込みだけを拒否することができ、他の振込みついては通常通り受領することができるという効果が得られる。
【００８４】
また、受取人である顧客は振込みによる入金を受領するか拒否するかの方法の選択肢が増えるという効果が得られる。
次に、第３の実施例を説明する。
第３の実施例の構成は、第１の実施例および第２の実施例の構成と顧客データベース４の構成のみが異なるものであるので、顧客データベース４の構成を説明することとし、上述した第１の実施例および第２の実施例と同様の部分は、同一の符号を付してその説明を省略する。
【００８５】
図２１は本発明の第３の実施例における顧客データベースの構成を示す説明図である。
図２１において、顧客口座情報２１、電子メールアドレス２２、振込み確認２３、対象２４および振込人口座情報２５は第２の実施例と同様なのでその説明を省略する。
２６は処理方法であり、振込み確認２３が「有」に設定されているとき、受取人に振込みの可否を確認する方法、すなわち、振込依頼人からの振込みに対してその振込みの可否を確認することなくその振込みを拒否するか、振込依頼人からの振込みに対してその振込みの可否を確認するかを格納するものである。
【００８６】
この処理方法２６に「拒否」が格納されているとき、振込依頼人からの振込みに対してその振込みの可否を確認することなくその振込みを拒否することを示し、「通知」が格納されているとき、振込依頼人からの振込みに対してその振込みの可否を確認することを示すものとする。
上述したように顧客データベース４は、顧客口座情報２１、電子メールアドレス２２、振込み確認２３、対象２４、振込人口座情報２５および処理方法２６で構成され、顧客口座情報２１に関連付けて電子メールアドレス２２、振込み確認２３、対象２４、振込人口座情報２５および処理方法２６が格納されているものである。
【００８７】
上述した構成の作用について説明する。
なお、以下に説明する各部の動作は、記憶部１４に格納されたプログラム（ソフトウェア）に基づいて図示しない中央処理装置等の制御手段により制御される。
まず、顧客が自動取引装置１を操作し、自己の口座に振込みがあった場合、その振込みの可否を確認するか否かの情報を顧客データベース４の振込み確認２３、対象２４および振込人口座情報２５に設定する動作について説明する。図２２は第３の実施例における振込み設定の処理を示すフローチャートであり、図中Ｓで表すステップにしたがって説明する。
【００８８】
Ｓ１ｅ〜Ｓ６ｅ：図１６におけるＳ１ｃ〜Ｓ６ｃと同様なのでその説明を省略する。
Ｓ７ｅ：顧客操作表示部１１が「設定」ボタン３３の押下を検知すると顧客操作表示部１１は図２３に示す振込み設定適用範囲選択画面を表示する。この振込み設定適用範囲選択画面は「すべてお振込み」ボタン４５、「特定のお振込み」ボタン４６ならびに「取り消し」ボタンおよび「適用範囲を選択してください」、「お客様の口座へのお振込みに対して「すべてのお振込み」を選択された場合、お客様の口座へのお振込みすべてに振込み設定が適用されます。「特定のお振込み」を選択された場合は、特定のお振込みが有った場合のみ振込み設定が適用されます。」等の文言で構成されたものである。
【００８９】
Ｓ８ｅ：自動取引装置１の制御部１５は顧客による「すべてお振込み」ボタン４５または「特定のお振込み」ボタン４６の押下を待つ。
Ｓ９ｅ：顧客操作表示部１１が「特定のお振込み」ボタン４６の押下を検知すると顧客操作表示部１１は図１８に示す被振込み履歴表示画面を表示し、図１６におけるＳ９ｃと同様の処理を行う。
【００９０】
Ｓ１０ｅ：顧客操作表示部１１が「確認」ボタン４３の押下を検知すると顧客操作表示部１１は図２４に示す処理方法選択画面を表示する。この処理方法選択画面は「ご希望の処理方法を選択してください」、「振込み人  △△  △△様」、「「直ちに拒否」を選択された場合、お客様の口座へのお振込みは直ちに拒否いたします。「お客様へ通知」を選択された倍はお客様への口座へのお振込みがあった場合、お客様に処理方法を選択させていただきます。」等の文言と「直ちに拒否」ボタン４７、「お客様へ通知」ボタン４８および「取り消し」ボタンで構成されたものである。
【００９１】
なお、Ｓ８ｅにおいて「すべてお振込み」ボタン４５が押下され、顧客操作表示部１１がすべてお振込み」ボタン４５の押下を検知すると「ご希望の処理方法を選択してください」、「すべてのお振込み」、「「直ちに拒否」を選択された場合、お客様の口座へのお振込みは直ちに拒否いたします。「お客様へ通知」を選択された倍はお客様への口座へのお振込みがあった場合、お客様に処理方法を選択させていただきます。」等の文言と「直ちに拒否」ボタン４７、「お客様へ通知」ボタン４８および「取り消し」ボタンで構成された処理方法選択画面を表示する。
【００９２】
Ｓ１１ｅ：顧客操作表示部１１が「お客様へ通知」ボタン４８の押下を検知すると顧客操作表示部１１は図２５に示す振込み設定内容確認画面を表示する。この振込み設定内容確認画面は「内容をご確認ください  お振込み人  △△  △△様  処理方法  お客様へ通知  今後「△△  △△様」からお客様への口座へのお振込みが有った場合、お客様に通知し、ご確認後処理させていただきます。よろしければ「確認」にふれてください。」等の文言と「取り消し」ボタンおよび「確認」ボタン４９で構成されたものである。
【００９３】
また、顧客操作表示部１１が「直ちに拒否」ボタン４７の押下を検知すると顧客操作表示部１１は図２６に示す振込み設定内容確認画面を表示する。この振込み設定内容確認画面は「内容をご確認ください  お振込み人  △△  △△様  処理方法  直ちに拒否  今後「△△  △△様」からお客様への口座へのお振込みが有った場合、直ちに拒否します。よろしければ「確認」にふれてください。」等の文言と「取り消し」ボタンおよび「確認」ボタン５０で構成されたものである。
【００９４】
Ｓ１２ｅ：一方、Ｓ６ｅにおいて「解除」ボタン３４が押下され、顧客操作表示部１１が「解除」ボタン３４の押下を検知すると顧客操作表示部１１は図２７に示す設定解除選択画面を表示する。この設定解除選択画面は「解除する設定を選択してください  お振込み人  △△  △△様  処理方法  お客様へ通知  解除する設定を選択後、確認に軽くふれてください。」等の文言と「取り消し」ボタンおよび「確認」ボタン５１で構成されたものである。
【００９５】
顧客操作表示部１１が設定解除選択画面の「確認」ボタン５１の押下を検知すると顧客操作表示部１１は図２８に示す設定解除確認画面を表示する。この設定解除確認画面は「解除内容をご確認ください  お振込み人  △△  △△様  処理方法  お客様へ通知  上記の振り込み設定を解除します。よろしければ確認にふれてください。」等の文言と「取り消し」ボタンおよび「確認」ボタン５２で構成されたものである。
【００９６】
Ｓ１３ｅ：顧客操作表示部１１が振込み設定内容確認画面の「確認」ボタン４９または「確認」ボタン５０の押下を検知すると制御部１５は通信回線２を介して、Ｓ８ｅにおいて「特定のお振込み」ボタン３８が押下された場合、振込み設定を行なう旨の情報、特定の振込み依頼人に対して確認を行なう旨、選択された振込依頼人の口座情報および選択された処理方法を、Ｓ８ｅにおいて「すべてお振込み」ボタン３７が押下された場合、振込み設定を行なう旨の情報、すべての振込み依頼人に対して確認を行なう旨の情報および選択された処理方法を示す情報を、カードから読取った口座情報等とともにホストコンピュータ３へ送信する。
【００９７】
一方、顧客操作表示部１１が設定解除確認画面の「確認」ボタン５２の押下を検知すると制御部１５は通信回線２を介して振込み設定を解除する旨の情報および選択された振込依頼人の口座情報をカードから読取った口座情報等とともにホストコンピュータ３へ送信する。
なお、振込み設定内容確認画面の「取り消し」ボタンまたは振込み設定解除画面の「取り消し」ボタンの押下を検知すると制御部１５の指示によりカード処理部１２は挿入されたカードを顧客に返却し、振込み設定の取引を終了する。
【００９８】
Ｓ１４ｅ：振込み設定を行なう旨の情報または振込み設定を解除する旨の情報をカードから読取った口座情報等とともに受信したホストコンピュータ３は顧客データベース４の顧客口座情報２１をカードから読取った口座情報に基づいて検索し、その顧客口座情報２１に関連付けて振込み確認２３に「有」または「無」の情報を格納する。
ここで、ホストコンピュータ３は受信した情報が、振込み設定を行なう旨の情報であるとき振込み確認２３に「有」を格納し、振込み設定を解除する旨の情報であるとき振込み確認２３に「無」を格納するものとする。
【００９９】
さらに、ホストコンピュータ３は特定の振込み依頼人に対して確認を行なう旨の情報を受信した場合、対象２４に「特定」を格納し、すべての振込み依頼人に対して確認を行なう旨の情報を受信した場合、対象２４に「すべて」を格納する。また、選択された振込依頼人の口座情報を受信した場合、振込人口座情報２５にその振込依頼人の口座情報を格納する。
【０１００】
さらにまた、ホストコンピュータ３は、選択された処理方法が直ちに拒否する旨を示す情報を受信した場合、選択された振込依頼人の口座情報に対応した処理方法２６に「拒否」を格納し、選択された処理方法が通知する旨の情報を受信した場合、選択された振込依頼人の口座情報に対応した処理方法２６に「通知」を格納する。
ホストコンピュータ３は顧客データベース４の振込み確認２３、対象２４、振込人口座情報２５および処理方法２６等の情報を格納すると設定が終了した旨または設定を解除した旨の電文を自動取引装置１へ送信する。
【０１０１】
Ｓ１５ｅ：設定が終了した旨または設定を解除した旨の電文を受信した自動取引装置１の顧客操作表示部１１は図８に示す振込み設定終了画面または図９に示す振込み設定解除終了画面を表示する。
振込み設定終了画面は「お客様へのお振込みがあった場合、お客様に通知し処理方法を確認させていただく設定が完了しました。」等の文言および「確認」ボタン、振込み設定解除終了画面は「お客様の振込み設定を解除いたしました。」等の文言および「確認」ボタンで構成され、顧客操作表示部１１は設定が終了した旨の電文を受信したとき図８に示す振込み設定終了画面を表示し、設定を解除した旨の電文を受信したとき図９に示す振込み設定解除終了画面を表示するものとする。
【０１０２】
Ｓ１６ｅ：振込み設定終了画面または振込み設定解除終了画面の「確認」ボタンの押下を顧客操作表示部１１で検知すると制御部１５の指示によりカード処理部１２がカードを顧客に返却して振込み設定の取引を終了する。
次に、振込依頼人が自動取引装置１を操作して行う振込取引の動作について説明する。図２９は第３の実施例における振込み処理を示すフローチャートであり、図中Ｓで表すステップにしたがって説明する。
【０１０３】
Ｓ１ｆ〜Ｓ６ｆ：図２０におけるＳ１ｄ〜Ｓ６ｄと同様なのでその説明を省略する。
Ｓ７ｆ：振込み情報およびカードから読取った振込依頼人の口座情報を受信したホストコンピュータ３は顧客データベース４の顧客口座情報２１を受取人の金融機関名、支店名、口座番号等の顧客口座情報に基づいて検索して振込み確認２３、電子メールアドレス２２、対象２４、振込人口座情報２５および処理方法２６を抽出する。
【０１０４】
ホストコンピュータ３は抽出した振込み確認２３、対象２４、振込人口座情報２５ならびに処理方法２６および振込依頼人の口座情報から振込み確認の要否を判定する。例えば、振込み確認２３が「有」、対象２４が「特定」かつ、振込人口座情報２５と振込依頼人の口座情報とが一致する場合は「振込み確認要」と判定し、また、振込み確認２３が「有」かつ、対象２４が「すべて」の場合も「振込み確認要」と判定する。一方、振込み確認２３が「有」、対象２４が「特定」であるが、振込人口座情報２５と振込依頼人の口座情報とが一致しない場合は「振込み確認不要」と判定し、また、振込み確認２３が「無」の場合も「振込み確認不要」と判定する。
【０１０５】
ホストコンピュータ３は「振込み確認要」または「振込み確認不要」を示す振込み確認情報および処理方法２６（拒否または通知）を自動取引装置１へ送信する。なお、抽出した電子メールアドレス２２は記憶部１４に記憶させておくものとする。
Ｓ８ｆ：振込み確認情報および処理方法２６を受信した自動取引装置１の制御部１５は振込み確認情報が「振込み確認要」または「振込み確認不要」のいずれであるかを判定する。ここで、振込み確認情報が「振込み確認不要」であると判定されるとＳ２１ｆにおける振込み処理の実行を待って処理をＳ２２ｆへ移行する。
【０１０６】
Ｓ９ｆ：振込み確認情報が「振込み確認要」であると判定されると制御部１５はさらに受信した処理方法が「拒否」または「通知」のいずれであるかを判定する。
Ｓ１０ｆ：処理方法が「拒否」であると判定されると制御部１５の指示により顧客操作表示部１１は図３０に示す取引拒否画面を表示する。この取引拒否画面は「取引が成立しませんでした  お振込先  金融機関名：いろは銀行  支店名：いろは支店  口座番号：８７６５４３  口座名義人：○○  ○○様」、「大変申し訳ございませんが、上記お振込先への振込み処理は、お振込先のお客様のご都合により成立しませんでした。お振込先のお客様にご確認ください。」の文言および「確認」ボタン５３で構成されたものである。顧客は振込み取引保留画面の表示内容を確認し「確認」ボタン５３を押下する。顧客操作表示部１１が「確認」ボタン５３の押下を受け付けると処理をＳ１２ｆへ移行する。
【０１０７】
Ｓ１１ｆ：一方、処理方法が「通知」であると判定されると制御部１５の指示により顧客操作表示部１１は図１１に示す振込み取引保留画面を表示する。この振込み取引保留画面は「２００５／０８／０１（日付）  お客様の下記の取引は先方に確認した後処理させていただくため、保留にさせていただきます。ご了承ください。金融機関名：いろは銀行  支店名：いろは支店  口座番号：８７６５４３  口座名義人：○○  ○○様  お振込み金額：￥１００、０００−」等の文言および「確認」ボタンで構成されたものである。顧客は振込み取引保留画面の表示内容を確認し「確認」ボタンを押下する。
【０１０８】
Ｓ１２ｆ：「確認」ボタンの押下を顧客操作表示部１１で検知すると制御部１５の指示によりカード処理部１２がカードを振込依頼人に返却して振込み取引を終了する。
Ｓ１３ｆ：一方、Ｓ７ｆでホストコンピュータ３が判定した結果が「振込み確認要」である場合、Ｓ１４ｆへ処理を移行し、「振込み確認不要」である場合、Ｓ２１ｆへ処理を移行する。
【０１０９】
Ｓ１４ｆ：ホストコンピュータ３が「振込み確認要」であると判定するとさらに処理方法２６が「拒否」または「通知」のいずれであるかを判定する。
ここで、処理方法２６が「拒否」であると判定されたときホストコンピュータ３は振込み処理を実行することなく振込取引を終了する。
Ｓ１５ｆ：処理方法２６が「通知」であると判定されたときホストコンピュータ３は記憶部１４からＳ７ｄで記憶させた電子メールアドレスを読み出し、その電子メールアドレス、すなわち、受取人の電子メールアドレスに振込み確認メッセージを送信する。
【０１１０】
受取人はその電子メールアドレスに送信された振込み確認メッセージを端末５の表示部に表示させ、その内容を確認する。この振込み確認メッセージは図１２に示すように「２００５／０８／０１（日付）  お客様の口座へ下記のお振込みを受け付けています。  お振込み人：△△  △△様  お振込み金額：￥１００、０００−  お振込みを受領しますか？受領する場合はＹｅｓ、拒否する場合はＮｏとご返信ください。」等の文言で構成されたものである。
【０１１１】
受取人は端末５の入力部から「Ｙｅｓ」または「Ｎｏ」を入力して振込み確認の結果を電子メールでホストコンピュータ３へ返信する。
Ｓ１６ｆ：ホストコンピュータ３は受取人の端末５から送信された振込み確認の結果を受信する。
Ｓ１７ｆ：電子メールで振込み確認の結果を受信したホストコンピュータ３はその振込み確認の結果がその振込みを受領することを示す「Ｙｅｓ」またはその振込みを拒否することを示す「Ｎｏ」のいずれであるかを判定する。
【０１１２】
Ｓ１８ｆ：振込み確認の結果が「Ｙｅｓ」であると判定されるとホストコンピュータ３は振込依頼人の口座から受取人の口座へ現金の移動を行う振込み処理を実行する。
Ｓ１９ｆ：振込み処理を実行したホストコンピュータ３は振込み取引成立メッセージを振込依頼人の電子メールアドレスへ送信する。ここで、振込依頼人の電子メールアドレスは、ホストコンピュータ３がカードから読取った口座情報に基づいて顧客データベース４の顧客口座情報２１を検索し、電子メールアドレス２２を抽出するものとする。
【０１１３】
振込依頼人はその電子メールアドレスに送信された振込み取引成立メッセージを端末５の表示部に表示させ、振込み取引が成立したことを確認する。この振込み取引成立メッセージは図１４に示すように「２００５／０８／０１（日付）  お客様の下記の取引が本日完了いたしましたのでご連絡します。金融機関名：いろは銀行  支店名：いろは支店  口座番号：８７６５４３  口座名義人：○○  ○○様  お振込み金額：￥１００、０００−」等の文言で構成されたものである。
【０１１４】
Ｓ２０ｆ：一方、Ｓ１７ｆにおいて振込み確認の結果が「Ｎｏ」であると判定されるとホストコンピュータ３は振込み拒否メッセージを振込依頼人の電子メールアドレスへ送信する。ここで、振込依頼人の電子メールアドレスは、ホストコンピュータ３がカードから読取った口座情報に基づいて顧客データベース４を検索し、電子メールアドレス２２を抽出するのは上述したとおりである。
【０１１５】
この振込み拒否メッセージは図１３に示すように「２００５／０８／０１（日付）  お客様の下記の取引は先方の都合により成立しませんでした。金融機関名：いろは銀行  支店名：いろは支店  口座番号：８７６５４３  口座名義人：○○  ○○様  お振込み金額：￥１００、０００−  振込先のお客様へお問い合わせください。」等の文言で構成されたものである。
【０１１６】
このようにして振込依頼人である顧客の操作による振込取引を終了する。
Ｓ２１ｆ：なお、Ｓ１３ｆにおいてホストコンピュータ３が「振込み確認不要」と判定した場合、ホストコンピュータ３は受取人に振込みの受領または拒否を確認することなく、振込み処理を実行し、その結果を自動取引装置１へ送信する。
Ｓ２２ｆ：ホストコンピュータ３で行った振込み処理の結果を受信した自動取引装置１の制御部１５は顧客操作表示部１１に振込み処理が終了した旨の画面を表示し、カード処理部１２により挿入されたカードを振込依頼人に返却して振込取引を終了する。
【０１１７】
なお、本実施例では、Ｓ１３ｆおよびＳ１４ｆおいてホストコンピュータ３は「振込み確認要」かつ処理方法２６が「通知」と判定すると受取人の電子メールアドレスに振込み確認メッセージを送信するようにしたが、自動取引装置１から振込み確認メッセージの送信を依頼する電文を受信した後、受取人の電子メールアドレスに振込み確認メッセージを送信するようにしてもよい。
【０１１８】
また、第１の実施例、第２の実施例および第３の実施例において、振込み設定を行なう「振込み設定」ボタンを顧客が取引を開始する前の取引選択画面（図４）に表示するようにしたが、これに限定されることなく、「お引出し」、「お預入れ」等の取引の処理中である現金の計数中や各取引の終了時に振込み設定が可能である旨を顧客に報知し、各取引の終了時等において「振込み設定」ボタンを表示し、振込み設定を行なうようにしてもよい。
【０１１９】
さらに、本自動取引装置および自動取引システムを所有する金融機関等は、この振込み確認のサービスを顧客に提供するにあたり、顧客から１回につき１００円、１ヵ月につき１００円等の手数料を徴収するようにしてもよい。この場合、顧客により「振込み設定」ボタンが選択されたとき手数料が徴収される旨を表示し、確認ボタン等の押下により承諾を得ておくものとする。
【０１２０】
またさらに、金融機関等がこの振込み確認のサービスを顧客に提供するにあたり、受取人が振込みによる入金を拒否したとき、振込金は振込依頼人へ返却されるが、振込み手数料は返却されないようにしてもよい。このとき、振込依頼人が行う振込み取引においてその旨を報知しておくものとする。
また、第２の実施例および第３の実施例において、対象２４を「すべて」とした場合、顧客がカードを使用しない現金による振込み取引でもこの振込み確認のサービスを顧客に提供することができる。この場合、受取人に振込みによる入金を拒否されたとき、振込依頼人に営業店へ来店すると振込金を返却する旨を事前に登録してある電話番号やメールアドレスに電子メールで連絡をするものとする。
【０１２１】
さらに、第２の実施例および第３の実施例において、振込み確認２３が「有」であり、対象２４に「特定」が設定された場合、特定の振込依頼人からの振込みについて受取人の振込み確認を必要とするようにしたが、振込み確認２３が「無」であり、対象２４に「特定」が設定された場合、特定の振込依頼人からの振込みについて受取人の振込み確認を不要とし、それ以外の振込依頼人からの振込みについて受取人の振込み確認を行なうようにしてもよい。例えば、家賃振込や学資送金等の場合は受取人の振込み確認を不要にするようにしてもよい。
【０１２２】
以上説明したように、第３の実施例では、第２の実施例の効果に加え、特定の振込依頼人からの振込みを拒否することを予め設定しておくことにより、受取人が望まない特定の振込みを確認することなく拒否することができ振込みによる入金を拒否する手順が簡略化させるという効果が得られる。
また、すべての振込依頼人からの振込みを拒否することを予め設定しておくことにより、受取人が望まないすべての振込みを確認することなく拒否することができ、顧客の選択の幅が広がるという効果が得られる。
【図面の簡単な説明】
【０１２３】
【図１】第１の実施例における自動取引装置および自動取引システムの構成を示すブロック図
【図２】第１の実施例における顧客データベースの構成を示す説明図
【図３】第１の実施例における振込み設定の処理を示すフローチャート
【図４】第１の実施例における取引選択画面の説明図
【図５】第１の実施例における振込み設定画面の説明図
【図６】第１の実施例における振込み設定内容確認画面の説明図
【図７】第１の実施例における振込み設定解除画面の説明図
【図８】第１の実施例における振込み設定終了画面の説明図
【図９】第１の実施例における振込み設定解除終了画面の説明図
【図１０】第１の実施例における振込み処理を示すフローチャート
【図１１】第１の実施例における振込み取引保留画面の説明図
【図１２】第１の実施例における振込み確認メッセージの説明図
【図１３】第１の実施例における振込み拒否メッセージの説明図
【図１４】第１の実施例における振込み取引成立メッセージの説明図
【図１５】第２の実施例における顧客データベースの構成を示す説明図
【図１６】第２の実施例における振込み設定の処理を示すフローチャート
【図１７】第２の実施例における振込み設定適用範囲選択画面の説明図
【図１８】第２の実施例における被振込み履歴表示画面の説明図
【図１９】第２の実施例における振込み設定内容確認画面の説明図
【図２０】第２の実施例における振込み処理を示すフローチャート
【図２１】第３の実施例における顧客データベースの構成を示す説明図
【図２２】第３の実施例における振込み設定の処理を示すフローチャート
【図２３】第３の実施例における振込み設定適用範囲選択画面の説明図
【図２４】第３の実施例における処理方法選択画面の説明図
【図２５】第３の実施例における振込み設定内容確認画面の説明図
【図２６】第３の実施例における振込み設定内容確認画面の説明図
【図２７】第３の実施例における設定解除選択画面の説明図
【図２８】第３の実施例における設定解除確認画面の説明図
【図２９】第３の実施例における振込み処理を示すフローチャート
【図３０】第３の実施例における取引拒否画面の説明図
【符号の説明】
【０１２４】
１    自動取引装置
２    通信回線
３    ホストコンピュータ
４    顧客データベース
５    端末
１１  顧客操作表示部
１２  カード処理部
１３  入出金部
１４  記憶部
１５  制御部
【図１】
2007148791.tif 000003
【図２】
2007148791.tif 000004
【図３】
2007148791.tif 000005
【図４】
2007148791.tif 000006
【図５】
2007148791.tif 000007
【図６】
2007148791.tif 000008
【図７】
2007148791.tif 000009
【図８】
2007148791.tif 000010
【図９】
2007148791.tif 000011
【図１０】
2007148791.tif 000012
【図１１】
2007148791.tif 000013
【図１２】
2007148791.tif 000014
【図１３】
2007148791.tif 000015
【図１４】
2007148791.tif 000016
【図１５】
2007148791.tif 000017
【図１６】
2007148791.tif 000018
【図１７】
2007148791.tif 000019
【図１８】
2007148791.tif 000020
【図１９】
2007148791.tif 000021
【図２０】
2007148791.tif 000022
【図２１】
2007148791.tif 000023
【図２２】
2007148791.tif 000024
【図２３】
2007148791.tif 000025
【図２４】
2007148791.tif 000026
【図２５】
2007148791.tif 000027
【図２６】
2007148791.tif 000028
【図２７】
2007148791.tif 000029
【図２８】
2007148791.tif 000030
【図２９】
2007148791.tif 000031
【図３０】
2007148791.tif 000032